(57)【要約】【課題】高速スケジューリング及び高速AMCを活用できると共に、基地局装置が移動局からの信号を適切に受信できるように最適な送信電力制御周期を設定すること。【解決手段】この閉ループ送信電力制御方法は、上りリンクで受信した信号の受信SINR及び平均干渉レベルを測定し、基地局装置１０の受信性能によって決まる第１の受信可能範囲と、所要のスループットを実現する変調方式及び符号化率の各組合せの組合せ数によって決まり干渉レベルに応じて変化する第２の受信可能範囲との重複領域である基地局装置のダイナミックレンジの広さに応じて受信品質の平均化時間を決定し、決定した平均化時間で受信SINRを平均化し、平均化した受信SINRと目標受信SINRとの差異に基づき、移動局３０において増減すべき上り送信電力の量が示されたTPCコマンドを生成し、下りリンクで送信する。【選択図】図１
2010028776.tif 000002
【特許請求の範囲】
【請求項１】
基地局装置の受信機性能によって決まる第１の受信可能範囲と、所要のスループットを実現する変調方式及び符号化率の各組合せの組合せ数によって決まる第２の受信可能範囲との重複領域の広狭に応じて受信品質の平均化時間を初期設定し、
上りリンクで受信した信号の受信品質及び干渉レベルを測定し、
測定された干渉レベルに応じて変化した重複領域の広さを特定し、特定した重複領域の広さに応じて受信品質の平均化時間を増減し、
増減した平均化時間で受信品質を平均化し、平均化した受信品質と目標受信品質との差異により、端末装置において増減すべき上り送信電力の量が示された送信電力制御情報を生成し、
前記端末装置に対して、生成された送信電力制御情報を下りリンクで送信する
ことを特徴とする閉ループ送信電力制御方法。
【請求項２】
重複領域が広くなるのに応じて平均化時間を長くすることを特徴とする請求項１記載の閉ループ送信電力制御方法。
【請求項３】
重複領域が狭くなるのに応じて平均化時間を短くすることを特徴とする請求項１又は請求項２記載の閉ループ送信電力制御方法。
【請求項４】
基地局装置の受信機性能には、上りリンクで受信した信号の受信電力を一定電力に制御するオートゲインコントロールの精度と、一定電力に制御された信号をデジタル信号に変換する際のサンプリングレート及び量子化ビット数を含むことを特徴とする請求項１記載の閉ループ送信電力制御方法。
【請求項５】
上りリンクで受信した信号の受信品質及び干渉レベルを測定する受信品質測定部と、
基地局装置の受信機性能によって決まる第１の受信可能範囲と、所要のスループットを実現する変調方式及び符号化率の各組合せの組合せ数によって決まる第２の受信可能範囲との重複領域の広狭に応じて受信品質の平均化時間を初期設定し、測定された干渉レベルに応じて変化した重複領域の広さを特定し、特定した重複領域の広さに応じて受信品質の平均化時間を増減させる制御周期決定部と、
前記制御周期決定部で増減させた平均化時間で受信品質を平均化し、平均化した受信品質と目標受信品質との差異により、端末装置において増減すべき上り送信電力の量が示された送信電力制御情報を生成する送信電力制御部と、
前記送信電力制御部で生成された送信電力制御情報を下りリンクで送信する送信部と、
を具備したことを特徴とする無線基地局装置。
【発明の詳細な説明】
【技術分野】
【０００１】
本発明は、上りリンクの送信電力制御を閉ループで行う閉ループ送信電力制御方法及び無線基地局装置に関する。
【背景技術】
【０００２】
W-CDMAの上りリンクでは、同一セル内のユーザ装置（UE: User equipment)は、ユーザ固有のスクランブル符号が乗算されており、非直交受信となるため、マルチユーザ干渉（すなわち、遠近問題）の影響を低減するための高速送信電力制御（TPC:  Transmission  Power  Control)が必須となっている。
【０００３】
一方、3GPP  Release  8で規定されるLTE(Long  Term  Evolution)のシステムでは（以下、「Rel-8  LTE」と略称する）、上りリンクに低いピーク対平均電力比(PAPR:  Peak-to  Average  Power  Ratio)を実現し、カバレッジの増大に有効であるSC-FDMA  (Single-Carrier  Frequency  Division  Multiple  Access)無線アクセスが採用されている。よって，基地局によるスケジューリングにより、基本的には、ある周波数および時間を有する無線リソースをひとつのUEに割り当てるため，同一セル内のユーザ間は周波数および時間領域で直交を実現している。このため、同一セル内のマルチユーザ干渉を抑圧する観点からは，高速TPCは必ずしも必須ではない。しかしながら、Rel-8  LTEでは１セル周波数繰り返しをベースとするため、周辺セルからの干渉が大きく、特にセル端に存在するUEからの干渉レベルは高い。このため、このような周辺セル干渉を補償し一定の受信品質を維持するため、LTEにおいてもTPCを適用する必要がある。
【０００４】
Rel-8  LTEの上りリンクでは、１）物理ランダムアクセスチャネル(PRACH:  Physical  Random  Access  Channel)、２）上りリンク物理共有チャネル(PUSCH:  Physical  Uplink  Shared  Channel)、３）上りリンク物理制御チャネル(PUCCH:  Physical  Uplink  Control  Channel)が規定されている。特に、PUSCHは、ユーザデータを送信する物理チャネルであり、UEの受信チャネル状態に応じた適応変復調・チャネル符号化(AMC:  Adaptive  Modulation  and  channel  Coding)、複数ユーザから通知されたCQI(Channel  Quality  Indicator)に応じて受信信号レベルの高い周波数ブロックを個々のユーザに対して最適に割当てる周波数スケジューリングを適用する。瞬時のフェージング変動に対応するため、１msec長のTTI(Transmission  Time  Interval)毎に高速周波数スケジューリング及び高速AMCを実行する。この場合、瞬時のフェージング変動に対してはAMCによる適応レート制御で対応できるが、基地局からの伝搬ロス及び周辺セル干渉の変動には低速のTPCで対応する。上りリンクのPUSCHの送信電力制御は、基地局が比較的長周期で通知するパラメータ（Po、α等）及び移動局が測定する伝搬ロス値による開ループTPCと、シャドウイングによる受信レベルの中期的変動及びUEの送信電力の設定誤差を補償するために比較的短周期で通知されるTPCコマンドによる閉ループTPCとの組み合わせにより制御される(3GPP,TS36.213)。基地局と移動局との間で行われる閉ループTPCでは、例えば、基地局において平均化時間ｔで平均化した受信SINR(Signal  to  Interference  plus  Noise  Ratio)と目標受信SINRとの差分を計算し、この差分をTPCコマンドとして移動局に通知することにより、移動局の送信電力を制御している。
【非特許文献１】3GPP, TS 36.213, V8.2.0, “Evolved Universal Terrestrial Radio Access(E-UTRA); Physical layer procedures”
【発明の開示】
【発明が解決しようとする課題】
【０００５】
しかしながら、高速周波数スケジューリング及び高速AMCが適用されているリンクにおいて、高速周波数スケジューリング及び高速AMCの高いゲインを得るために閉ループTPCの制御周期を比較的長い時間（低速）に固定する場合、受信信号の誤差が大きくなって基地局受信機のダイナミックレンジから外れ、通信ができなくなる可能性があった。
【０００６】
本発明は、かかる点に鑑みてなされたものであり、基地局装置が適切に動作するように最適な送信電力制御周期を設定できる閉ループ送信電力制御方法及び無線基地局装置を提供することを目的とする。
【課題を解決するための手段】
【０００７】
本発明の閉ループ送信電力制御方法は、基地局装置の受信機性能によって決まる第１の受信可能範囲と、所要のスループットを実現する変調方式及び符号化率の各組合せの組合せ数によって決まる第２の受信可能範囲との重複領域の広狭に応じて受信品質の平均化時間を初期設定し、上りリンクで受信した信号の受信品質及び干渉レベルを測定し、測定された干渉レベルに応じて変化した重複領域の広さを特定し、特定した重複領域の広さに応じて受信品質の平均化時間を増減し、増減した平均化時間で受信品質を平均化し、平均化した受信品質と目標受信品質との差異により、端末装置において増減すべき上り送信電力の量が示された送信電力制御情報を生成し、前記端末装置に対して、生成された送信電力制御情報を下りリンクで送信することを特徴とする。
【０００８】
この構成によれば、上記重複領域は基地局装置が適正にUEからの信号を受信できるダイナミックレンジとなり、このダイナミックレンジの広狭に対応して受信品質の平均化時間を決定するので、ダイナミックレンジが広い場合には高速周波数スケジューリング及び高速AMCのメリットを十分に享受できるように平均化時間を決定でき、ダイナミックレンジが狭い場合には受信SNR(Signal  to  Noise  Ratio)がダイナミックレンジから外れる確率を低減できるように平均化時間を決定でき、第１の受信可能範囲及び第２の受信可能範囲を逸脱して通信ができない事態を防止することができる。
【発明の効果】
【０００９】
本発明によれば、基地局装置が適切に動作するように最適な送信電力制御周期を設定できる。
【発明を実施するための最良の形態】
【００１０】
以下、本発明の実施の形態について添付図面を参照して詳細に説明する。
Rel-8 LTEの上りリンクでの送信電力制御方法について説明する。
図１にはTPCコマンドを生成する際の受信品質の平均化時間の決定方法の概念が示されている。受信品質の平均化時間はTPCの制御周期となる。
無線基地局は、移動局から送信された信号を受信可能な信号強度（受信レベル）の範囲（以下、「第１の受信可能範囲」という）を有する。第１の受信可能範囲は、無線基地局の受信機の性能に依存しており、主にAGC(Automatic  Gain  Control)の精度と、Ａ／Ｄ変換器のサンプリングレート及び量子化ビット数とで決まる。後述する第２の受信可能範囲と比較可能にするために第１の受信可能範囲を受信SNR(Signal  to  Noise  Ratio)で規定する。ユーザに割当てたある周波数帯域での受信SNRは、ユーザ端末（移動局）の送信した本来の信号と背景雑音との比を絶対値で表現している。移動局で送信電力制御される本来の信号に比べて背景雑音の変化は小さいので、受信電力の代わりに受信SNRを用いて第１の受信可能範囲を規定することができる。無線基地局の受信機での受信SNRが、移動局での送信電力制御によって、第１の受信可能範囲から外れた場合には通信できない状態となる。
【００１１】
また、無線基地局は、システム上で要求されるスループットの範囲が予め決められており、その要求されるスループットを実現する変調方式と符号化率の各組合せ（ＭＣＳ:Modulation  and  Coding  Scheme)の組合せ数（以下、「MCSセット数」という）が決められている。無線基地局は、所要のスループットを実現するMCSセット数によって決まる受信品質の範囲（以下、「第２の受信可能範囲」という）を有する。第１の受信可能範囲と次元を合わせるために受信品質には受信SNRを用いる。第２の受信可能範囲は、平均干渉レベルに応じて変化する。無線基地局の受信機での受信SNRが、移動局での送信電力制御によって、第２の受信可能範囲から外れた場合には、要求されたスループットを実現できないことになる。図２はAMCが補償する受信ＳＩＮＲのダイナミックレンジを示す図である。変調方式と符号化率の組合せによって、受信SINRに対して実現できるスループットが決まる。例えば、ＭＣＳ＃１は、スループットは低いが低い受信品質で通信が可能であるMCSセットであり、ＭＣＳ＃ｎは、高い受信品質を利用して高いスループットを実現できるMCSセットである。図２に示すように、MCSセット数が多いほど、所要のスループットを実現する受信ＳＩＮＲのダイナミックレンジが広くなる。図２において受信SINRを受信SNRに代えた場合も同様の関係が成立する。
【００１２】
したがって、第１の受信可能範囲と第２の受信可能範囲とが重なる重複領域が、無線基地局の適切に動作する受信ＳＮＲのダイナミックレンジ（以下、「基地局装置のダイナミックレンジ」という）となる。この基地局装置のダイナミックレンジは、個々の無線基地局の受信機の性能、システムでサポートするMCSセット数及び受信機で測定される平均干渉レベルによって変化する。無線基地局の受信機の性能、システムでサポートするMCSセット数は無線基地局毎に固定している。このため、無線基地局の受信機の性能、システムでサポートするMCSセット数から決まる基地局装置のダイナミックレンジの広さに応じた受信品質の平均化時間を初期設定する。第２の受信可能範囲は干渉レベルに応じて変動する。このため、通信時には干渉レベルに応じて基地局装置のダイナミックレンジも変化するので、基地局装置のダイナミックレンジの変化に応じて受信品質の平均化時間を動的に変化させる。
【００１３】
基地局装置のダイナミックレンジが広ければ、図２に示す受信SINRのダイナミックレンジの中心に目標受信SINRを設定した場合、受信SINRがダイナミックレンジから外れる確率が小さくなる。すなわち、受信SINRがダイナミックレンジから外れる確率が小さくなる分だけ、TPCの制御周期（受信SINRの平均化時間ｔ）を長くすることができる。基地局装置のダイナミックレンジが広い時は、TPCの制御周期を長くして、高速周波数スケジューリング及び高速AMCの効果を最大限に享受することができる。なお、高速周波数スケジューリング及び高速AMCを適用されているリンクにおいて閉ループTPCの制御周期を短く設定して瞬時のフェージング変動に追従可能な程度に高速化すれば、基地局装置のダイナミックレンジから外れる確率を低減できる。しかし、それでは個々のユーザの受信レベルが均一になるように制御されるので、高速周波数スケジューリング及び高速AMCを適用する利点が減殺されることになる。
【００１４】
また、基地局装置のダイナミックレンジが狭ければ、図２に示す受信ＳＩＮＲのダイナミックレンジの中心に目標受信SINRを設定したとしても、受信SINRがダイナミックレンジから外れる確率が高くなる。ＴＰＣの制御周期を短くすることにより、誤差が小さくなって受信SINRがダイナミックレンジから外れる確率が低下する。すなわち、TPCの制御周期（受信SINRの平均化時間ｔ）を短縮した分だけ、受信SINRがダイナミックレンジから外れる確率を低くすることができる。基地局装置のダイナミックレンジが狭い時は、TPCの制御周期を短くして、受信SINRがダイナミックレンジから外れる確率を低下させる。
【００１５】
以上のようにして、基地局装置のダイナミックレンジの広さに応じて、ＴＰＣの制御周期（受信SINRの平均化時間ｔ）を決定する。基地局装置では、移動局から受信した信号の受信SINRを測定し、基地局装置のダイナミックレンジの広さに応じて決定した平均化時間ｔにて受信SINRを平均化する。基地局装置は、例えば、目標受信SINRと平均化受信SINRとの差分をTPCコマンドとして移動局へ通知する。移動局は無線基地局から通知されたTPCコマンドに従って上りリンクの送信電力を制御する。
【００１６】
図１に示す具体例では、第１の受信可能範囲の最低値よりも第２の受信可能範囲の最低値の方が大きい。これは、無線基地局の受信機が、システムに要求されるスループットを実現できない受信レベルの小さい信号まで受信可能であることを示している。第１の受信可能範囲と第２の受信可能範囲とが以上のような関係の場合は、第１の受信可能範囲の内、要求されるスループットを実現できない領域は基地局装置のダイナミックレンジから外れる。また、第１の受信可能範囲の最大値よりも第２の受信可能範囲の最大値の方が大きい。これは、無線基地局の受信機が飽和する大きな受信レベルにまで対応可能なMCSセットをシステム側でサポートしていることを示している。第１の受信可能範囲と第２の受信可能範囲とが以上のような関係の場合は、第２の受信可能範囲の内、受信機の受信性能で対応できない領域は基地局装置のダイナミックレンジから外れる。したがって、以上のようにして決められる基地局装置のダイナミックレンジは、受信機の受信性能とシステムのサポート能力の両方の面から基地局装置が正常に動作する範囲を定めたものである。このような基地局装置のダイナミックレンジに基づいて受信品質の平均化時間を初期設定する。
図１に示すケース以外にも、受信機の性能を上げることで、第２の受信可能範囲の全体をカバーする第１の受信可能範囲を有することもあり得る。
【００１７】
図３は本発明の実施の形態に係る基地局装置の機能ブロック図である。基地局装置１０は、送受信アンテナ１１と、アンプ部１２と、送受信部１３と、ベースバンド信号処理部１４と、呼処理部１５と、伝送路インターフェース１６とを具備する。
【００１８】
上りリンクのデータについては、送受信アンテナ１１で受信された無線周波数信号がアンプ部１２においてAGCの下で受信電力が一定電力に補正されるように増幅される。アンプ部１２において行われるAGCの精度が第１の受信可能範囲を決める要素の一つとなる。増幅された無線周波数信号は、送受信部１３でベースバンド信号へ周波数変換される。このベースバンド信号は、ベースバンド信号処理部１４で逆拡散、RAKE合成、誤り訂正復号がなされた後、伝送路インターフェース１６を介してアクセスゲートウェイ装置に転送される。アクセスゲートウェイ装置は、コアネットワークに接続されており、各移動局を管理する。また、上りリンクに関しては、上りリンクのベースバンド信号に基づき、基地局装置１０で受信された無線信号の受信SINR及び干渉レベルが測定される。
【００１９】
下りリンクのパケットデータは、上位装置から伝送路インターフェース１６を介してベースバンド信号処理部１４に入力される。ベースバンド信号処理部１４では、再送制御（H-ARQ  (Hybrid  ARQ)）の処理、スケジューリング、伝送フォーマット選択、チャネル符号化、拡散処理が行われて送受信部１３に転送される。送受信部１３では、ベースバンド信号処理部１４から出力されたベースバンド信号を無線周波数帯に変換する周波数変換処理が施され、その後、アンプ部１２で増幅されて送受信アンテナ１１より送信される。
【００２０】
図４は、上記ベースバンド信号処理部１４の機能構成を示す機能ブロック図である。
ベースバンド信号処理部１４は、Ａ／Ｄ変換器を有するレイヤ１処理部２１と、MAC（Medium  Access  Control）処理部２２と、ＲＬＣ処理部２３と、受信ＳＩＮＲ測定部２４と、送信電力制御部２５と、制御周期決定部２６とを備えている。なお、制御周期決定部２６は送信電力制御部２５に含まれる一機能部としても良い。
【００２１】
レイヤ１処理部２１は、主に物理レイヤに関する処理を行い、送受信部１３からの信号をＡ／Ｄ変換器でＡ／Ｄ変換する。Ａ／Ｄ変換器のサンプリングレート、量子化ビット数が第１の受信可能範囲を決める要素となる。レイヤ１処理部２１では、例えば、上りリンクで受信した信号に対して、チャネル復号化、離散フーリエ変換(DFT)、周波数デマッピング、逆フーリエ変換(IFFT)、データ復調、上下の個別チャネルの送信電力制御等の処理が行われる。また、下りリンクで送信する信号に対して、チャネル符号化、データ変調、周波数マッピング、逆フーリエ変換(IFFT)等の処理が行われる。
【００２２】
MAC処理部２２は、上り／下りリンクで受信した信号に対するMACレイヤでの再送制御(HARQ)、上り／下りリンクに対するスケジューリング、PUSCH/PDSCHの伝送フォーマットの選択（AMCにおけるMCSセットの決定を含む）、PUSCH/PDSCHのリソースブロックの選択等の処理を行う。基地局装置１０はAMCで使用するMCSセットを複数の中から選択可能である。図５は基地局装置１０において選択可能なMCSセットの具体例を示す図である。図５に示すように、基地局装置１０は、例えば、１５個（index0〜index14）のMCSセットをサポートしている。すなわち、MCSセットの周波数利用効率は変調方式と符号化率との組み合わせで決まり、利用効率の低いものから高いものまで１５個のMCSセットが準備されている。これらの選択可能なMCSセット数が第２の受信可能範囲を決定する一つの要素となる。
【００２３】
RLC処理部２３は、上りリンクで受信したパケット、および伝送路インターフェース１６経由で受け取る下りリンクで送信するパケットに対して、パケットの分割、パケットの結合、RLCレイヤでの再送制御等を行う。
【００２４】
受信SINR測定部２４は、上りリンクで受信したリファレンス信号の受信品質（例えば、受信SINR）を測定する。一般に、リファレンス信号には、システム帯域全域で定期的に送信されるサウンディング用のSounding  RSと、PUSCHに付随して特定のリソースブロックの帯域だけで伝送される復調用のDemodulation  RSとがある。受信SINR測定部２４は、リファレンス信号の干渉レベルも測定している。
【００２５】
制御周期決定部２６は、基地局装置のダイナミックレンジを監視しており、基地局装置のダイナミックレンジの広さに応じてTPCの制御周期を決定する。基地局装置のダイナミックレンジを決める主な要素は、アンプ部１２におけるAGCの精度、レイヤ１処理部２１におけるＡ／Ｄ変換器のサンプリングレート及び量子化ビット数、MAC処理部２２で選択可能なMCSセット数、受信SINR測定部２４で測定されるリファレンス信号の干渉レベルである。AGCの精度、Ａ／Ｄ変換器のサンプリングレート及び量子化ビット数、MCSセット数は、既知のデータである。したがって、AGCの精度、Ａ／Ｄ変換器のサンプリングレート及び量子化ビット数、MCSセット数から決まる基地局装置のダイナミックレンジを特定し、このダイナミックレンジの広さに応じた適切な受信品質の平均化時間を初期設定する。通信開始後は、受信SINR測定部２４で測定する干渉レベルに連動して基地局装置のダイナミックレンジを変動する。基地局装置のダイナミックレンジの広さに応じて受信品質の平均化時間を増減させる。増減させた平均化時間は送信電力制御部２５へ与えられる。
送信電力制御部２５は、制御周期決定部２６から与えられる平均化時間ｔで受信SINRを平均化し、例えば、目標受信SINRと平均化受信SINRとの差分をTPCコマンドとして生成する。このように基地局装置のダイナミックレンジの広さに応じて増減させたTPCの制御周期で生成されるTPCコマンドがレイヤ１処理部２１へ出力される。
【００２６】
呼処理部１５は、上位装置の無線制御局と呼処理制御信号の送受信を行い、基地局１０の状態管理やリソース割り当てを行う。尚、上記レイヤ１処理部２１とMAC処理部２２における処理は、呼処理部１５において設定されている、基地局１０と移動局の通信の状態に基づいて行われる。
【００２７】
以上のように構成された基地局装置１０と移動局との間のリンクアダプテーションについて説明する。
図６は、Rel-8  LTEの上りリンクにおけるリンクアダプテーションの概要を示している。移動局３０から基地局装置１０に送られてくるSounding  RSを用いて、各ユーザのチャネル品質情報（CQI：Channel  Quality  Indicator)を測定し、リソースブロック毎のユーザ割当て（スケジューリング）、MCSセットの決定（AMC)を行う。決定したリソースブロックの割当てとMCSセットの情報（及び再送に関する情報（HARQ)）を下りリンク物理制御チャネル（PDCCH：Physical  Downlink  Control  Channel）で移動局３０に通知する。移動局３０では基地局装置１０から通知された情報に従い、データ送信を行う。
【００２８】
以上のようなリンクアダプテーションにおいて、以下のようなTPCの制御周期の決定及び閉ループTPCを行う。
【００２９】
図７は基地局装置１０で行われるTPCの制御周期の決定及び閉ループTPCの概略的なフロー図である。通信開始前に、第１の受信可能範囲とリファレンス信号の干渉レベルを考慮しない第２の受信可能範囲との重複領域からなる基地局装置のダイナミックレンジを求め、求めた基地局装置のダイナミックレンジの広さに応じて決定した受信品質の平均化時間を初期設定する。
通信開始後は、移動局３０から送信されたリファレンス信号を上りPUSCHで受信し（ステップＳ１）、受信品質として受信ＳＩＮＲ測定部２４で受信ＳＩＮＲを測定する（ステップＳ２）と共に、受信ＳＩＮＲ測定部２４ではリファレンス信号の平均干渉レベルを測定する（ステップＳ４）。測定した受信ＳＩＮＲは送信電力制御部２５へ入力され、平均干渉レベルは制御周期決定部２６へ入力される。制御周期決定部２６において、図１に示すように、第１の受信可能範囲と第２の受信可能範囲とが重なる範囲を、基地局装置のダイナミックレンジとして特定する（ステップＳ５）。図１に示す第１の受信可能範囲は、基地局装置１０のアンプ部１２におけるAGCの精度、レイヤ１処理部２１におけるＡ／Ｄ変換器のサンプリングレート及び量子化ビット数から決まる受信ＳＮＲのダイナミックレンジである。これらのデータは個々の基地局装置１０で固定であるので初期設定時に入力するだけでよい。また、第２の受信可能範囲は、MAC処理部２２で選択可能なMCSセット数（図５の例では１５個）、ステップＳ４で測定した平均干渉レベルから決まる所要スループットを実現する受信ＳＮＲのダイナミックレンジである。MCSセット数は個々の基地局装置１０で固定であるので初期設定時に入力するが、平均干渉レベルは所定周期で測定される。したがって、基地局装置のダイナミックレンジは、システム稼働後には平均干渉レベルの変化に応じて広さが変動する。そして、基地局装置のダイナミックレンジの広さに対応してTPCの制御周期となる受信品質の平均化時間ｔを決定する（ステップＳ６）。基地局装置のダイナミックレンジが広ければ、受信SNRがダイナミックレンジから外れる確率が小さくなる分だけ、ＴＰＣの制御周期となる受信SINRの平均化時間ｔを長くする。一方、基地局装置のダイナミックレンジが狭い時は、受信SINRの平均化時間ｔを短くして、受信SINRがダイナミックレンジから外れる確率を低下させる。
【００３０】
基地局装置のダイナミックレンジの広さに対応して決定した平均化時間ｔにて受信SINRを平均化し（ステップＳ３）、例えば、目標受信ＳＩＮＲと平均化受信ＳＩＮＲとの差分をＴＰＣコマンドとして生成する（ステップＳ７）。生成したＴＰＣコマンドを下りリンクで移動局３０へ通知する（ステップＳ８）。
【００３１】
上述したように、本実施の形態によれば、基地局装置１０が適切に動作する受信ＳＮＲのダイナミックレンジである基地局装置のダイナミックレンジを特定し、基地局装置のダイナミックレンジの広さに対応してTPCの制御周期を決定するので、基地局装置のダイナミックレンジが広い場合には高速周波数スケジューリング及び高速AMCのメリットを十分に享受できる長いTPCの制御周期を設定可能であると共に、基地局装置のダイナミックレンジが狭い場合には受信SNRが基地局装置のダイナミックレンジから外れる確率を低減できる短いTPCの制御周期を設定可能であり、通信ができなる事態を防止することができる。
【産業上の利用可能性】
【００３２】
本発明は、Rel-8  LTEの上りリンクにおける閉ループの送信電力制御方法に適用可能である。
【図面の簡単な説明】
【００３３】
【図１】本発明の実施の形態におけるTPCの制御周期の決定方法の概念図
【図２】ＡＭＣが補償する受信ＳＩＮＲのダイナミックレンジを示す図
【図３】本発明の一実施例に係る基地局装置の機能構成を示す機能ブロック図
【図４】図３に示すベースバンド信号処理部の機能構成を示す機能ブロック図
【図５】基地局装置において選択可能なMCSセットの具体例を示す図
【図６】Rel-8  LTEの上りリンクにおけるリンクアダプテーションの概要を示す図
【図７】基地局装置で行われるTPCの制御周期の決定及び閉ループTPCの概略的なフロー図
【符号の説明】
【００３４】
１０  基地局装置
１１  送受信アンテナ
１２  アンプ部
１３  送受信部
１４  ベースバンド信号処理部
１５  呼処理部
１６  伝送路インターフェース
２１  レイヤ１処理部
２２  MAC処理部
２３  ＲＬＣ処理部
２４  受信ＳＩＮＲ測定部
２５  送信電力制御部
２６  制御周期決定部
３０  移動局
【図１】
2010028776.tif 000003
【図２】
2010028776.tif 000004
【図３】
2010028776.tif 000005
【図４】
2010028776.tif 000006
【図５】
2010028776.tif 000007
【図６】
2010028776.tif 000008
【図７】
2010028776.tif 000009